(57)【特許請求の範囲】
【請求項１】
データを無線通信網でデジタル伝送する方法であって、
チャネルの設定バンド幅内で制御通信が、マスタ局から全ての加入者へ（ダウンリンク）設定された信号フレーム（１）を用いて行われ、
該信号フレーム（１）の開始が、加入者により検知可能な専用のフレーム同期信号（５）により表される形式の方法において、
バンド幅をフレーム同期信号（５）に対して相互に別個の部分領域に分割し、
部分領域の第１の部分を送信信号により占有し、部分領域の第２の部分には送信信号がないままとし、
部分領域を取り出しろ波し、
部分領域に対してそれぞれ信号電力を検出し、
部分領域当たりの相対的または絶対的信号電力を閾値と比較し、フレーム同期信号（５）を検知する、
ことを特徴とする方法。
【請求項２】
フレーム同期信号に加えて、少なくとも１つの別の同期信号をフレーム同期信号より時間的に前または後に使用する、請求項１記載の方法。
【請求項３】
前記別の同期信号はゼロ信号である、請求項２記載の方法。
【請求項４】
前記別の同期信号は別のフレーム同期信号であり、
前記別のフレーム同期信号は別の部分領域を第１のフレーム同期信号として送信信号により占有する、請求項２記載の方法。
【請求項５】
フレーム同期信号（５）は、送信信号により占有された部分領域を最大で２つ有し、送信信号のない部分領域を最大で２つ有する、請求項１から４までのいずれか１項記載の方法。
【請求項６】
送信信号により占有された部分領域（ｐ）内では均等に振幅が分布している、請求項１から５までのいずれか１項記載の方法。
【請求項７】
送信信号により占有された部分領域（ｐ）内には、一定のエンベロープを有するサブ搬送波が存在する、請求項１から６までのいずれか１項記載の方法。
【請求項８】
占有された部分領域（ｐ）ではサブ搬送波を一つおきに使用する、請求項７記載の方法。
【請求項９】
請求項１から８までのいずれか１項記載の方法を実施するための受信装置であって、
受信装置はマスタ局または他の局にあり、
チャネルの設定バンド幅内で制御通信を、マスタ局から全ての加入者へ（ダウンリンク）設定された信号フレーム（１）を用いて行う手段を有しており、
受信装置は、信号フレーム（１）の開始を、検知可能な専用のフレーム同期信号（５）により識別するように構成されている形式の受信装置において、
当該受信装置は検知装置（２０，２０’）を有し、
該検知装置は、
バンド幅をフレーム同期信号（５）に対して相互に別個の部分領域に分割する手段と、
部分領域の第１の部分を送信信号により占有し、部分領域の第２の部分には送信信号がないままとする手段と、
部分領域中の中間周波領域を分離するためのフィルタ装置（２１，２２）と、
部分領域に対してそれぞれ信号電力を検出する手段と、
部分領域当たりの相対的または絶対的信号電力を閾値と比較するための比較装置（２７）と、
フレーム同期信号（５）を検知する手段とを備えている、
ことを特徴とする受信装置。
【請求項１０】
付加的な評価装置（２８，２９）がゼロ信号の識別のために設けられている、請求項９記載の受信装置。
【請求項１１】
受信装置に電流供給制御部が設けられており、
該電流供給制御部は、検知装置（２７，２９，３０）によるフレーム同期信号の検知に依存して、電流節約モードからアクティブ駆動状態へ切り換え可能である、請求項９または１０記載の受信装置。
【発明の詳細な説明】
【０００１】
本発明は、データを無線通信網でデジタル伝送する方法に関し、この方法ではチャネルの設定バンド幅内で制御通信が、マスタ局から全ての加入者へ（ダウンリンク）設定された信号フレームを用いて行われ、該信号フレームの開始は加入者により検知可能な専用のフレーム同期信号により表される。
【０００２】
本発明はさらに、前記の方法に従って伝送されたデータの受信装置に関する。
【０００３】
既に実現されたデジタルデータ伝送システム、例えばＤＡＢ（Digital Audio Broadcast）またはＤＶＢ（Digital Video Broadcast）はＯＦＤＭ変調に基づく（Waechter: "Das Uebertragungsverfahren des zukuenftigen digitalen Hoerrundfunks", Der Fernmeldeingenieur 11, 12/92, pp.1-43; Engels, Rohling, Breide: "OFDM-Uebertragungsverfharen fuer den digitalen Fernsehrundfunk" Rundfunktechnische Mitteilung 1993, pp.260-270）。伝送フレームの検知を可能にするため、これらのシステムではいわゆるゼロシンボルが使用される。すなわち電力が送信されないか、または非常に小さな電力しか送信されない。このような純粋な分散サービスではゼロシンボルは一度だけであり、したがって受信器での検知は簡単で一義的である。
【０００４】
ＷＯ９７／２９５６８Ａに、周波数同期および時同期が開示されている。ここではエネルギーのないゼロシンボルの組合せ、異なる周波数で信号を有する２つのシンボルＳ１，Ｓ２が周波数オフセットと時間ずれの検出に使用され、２つのシンボルＳ３とＳ４がシンボル同期化に使用される。周波数状態と時間ずれは最尤度推定によって検出される。この最尤度推定は、複雑なデジタル信号処理ととりわけ乗算とを含んでいる。
【０００５】
Nogami H. et al: "A frequency and timing period acquisition technique for OFDM systems" IEICE Transactions on Communications, Japan, Band E 97-B, No.8 1.August 1996, pp.1135-1146 には、周波数同期および時同期のためのゼロシンボルとパイロットの組合せが説明されている。ゼロシンボルは最初の粗い時同期に用いる。パイロットは周波数シーケンスを有しており、このシーケンスでは信号エネルギーが伝送される。このシーケンスは擬似ランダムシーケンスである。
【０００６】
ＥＰ０７２２２３５Ａには、相関により信号Ｓ０への時同期が達成されることが記載されており、この信号は周波数の擬似ランダムシーケンスにおいて信号エネルギーを有する。このために基準タイミング発生器６２が使用される（列１８，１８〜２４行）。信号Ｓ０はさらに周波数同期のために使用され、ここで信号Ｓ０は周波数に依存して対称性エネルギー分布を有する。識別された非対称性が周波数についてのエラー同期を指示する。
【０００７】
Schmidl T.M.et al: "Low-Overhead, Low Complexity Burst Synchronisation for OFDM", 1996, IEEE International Conference on Communication (ICC), converting technologies for tomorrows applications, Dallas, Jun 23-27, 1996, Band 3, pp.1301-1306 には、パイロットが時間的に２つの同じ半分に分割される時同期が記載されている。信号エネルギーは擬似ランダムシーケンスにより偶数周波数に分散され、奇数周波数はエネルギーがないままである。最初の半分の信号値を、第２の半分の相応する信号値の共役複素数と乗算し、続いてこの積を加算することにより、Ｄ４の後に中間結果が得られ、これが第２の半分の信号エネルギーにより除算される。最大値を探索することにより時同期が達成される。
【０００８】
さらに同期目的のためにシンボルを伝送することが公知である。このシンボルは、その相関特性に基づき、とりわけ自己相関特性に基づき、受信器で相関技術により検知可能である（例えばＤＥ４３１９２１６Ａ１参照）。相関技術の欠点は、多くの複雑な乗算のために受信器での実現が比較的面倒であり、多くの電力を消費することである。
【０００９】
伝送チャネルを基地局と移動ユーザにより交互に占有することのできる通信システム（これは例えば移動無線システムに当てはまる）では、純粋な分散サービスには適するゼロシンボルがフレーム同期に対して一義的ではない。なぜなら、基地局から伝送チャネルへの伝送（ダウンリンク）開始前と、移動加入者から伝送チャネルへの伝送（アップリンク）開始時に、送信電力のないトランシーバー・ターンアラウンド・インターバルが発生し、さらにアップリングシグナリングのためのタイムスロットが必ずしも占有されないからである。なぜなら加入者が一部では偶然的アクセスで伝送チャネルにアクセスするからである。
【００１０】
フレーム開始の検知はとりわけ無線ＴＤＭＡ（Time division multiple access）−ＴＤＤ（time division duplex）マルチ搬送波伝送システムでは重要であり、２つのダウンリンクフェーズ間の持続時間（フレーム持続時間）は、加入者の多重アクセスをダインリンクを介してフレキシブルに編成するため可変であるから、これまで相関技術の欠点を甘受していた。
【００１１】
これに対し本発明の課題は、フレーム開始、とりわけダウンリングフェーズの開始を簡単に識別できるように構成することである。
【００１２】
この課題から出発し、冒頭に述べた形式の方法は本発明により、バンド幅の第１の部分領域を送信信号により占有し、バンド幅の別の相補的部分領域を送信信号により占有しないことをフレーム同期信号として使用し、部分領域を相互に分離するように構成される。
【００１３】
したがって本発明の方法では、特別の周波数パターンが各送信フレームの開始時に伝送され、受信装置で検知されるようなフレーム伝送が行われる。周波数パターンは、バンド幅の少なくとも部分領域を送信信号により所定のように占有し、バンド幅の少なくとも相補的部分領域を送信信号により占有しないことによって形成される。
【００１４】
本発明の最も簡単で有利な実施例では、バンド幅の半分が送信信号により占有され、バンド幅の別の半分には送信信号がない。このようなパターンはＯＦＤＭシステムにおいて、使用されるＮ個のサブ搬送波のうち、上側または下側のＮ／２のサブ搬送波振幅をゼロにセットすることにより簡単に形成される。
【００１５】
本発明のフレーム同期信号は、検知装置を有する本発明の受信装置において検知される。この検知装置は、中間周波バンドを部分領域に分配するためのフィルタ装置と、部分領域で受信された送信エネルギーを比較するための比較装置とを有する。このような受信装置の構成は、僅かなハードウエアコストで可能であり、所要の電力に関して問題なしに最適化される。とりわけ受信装置は、相関技術のように常時複雑な乗算機能を実行し、フレーム同期信号を識別する必要がない。むしろ本発明の受信装置では、受信装置の電流供給を電流節約モードで行い、検知装置によるフレーム同期信号の検知に依存して、全電気エネルギーが信号フレーム内のダウンリンク信号の評価のために必要であるときに全駆動状態に切り換えることができる。
【００１６】
本発明の枠内では、送信信号により占有された部分領域に均等の振幅分布を実現すると有利である。したがってＮ個のサブ搬送波をＯＦＤＭシステムで使用する場合には、送信信号に対して占有されたＮ／２のサブ搬送波の位相と振幅を次のように選択する。すなわち一方ではエネルギーができるだけ均等に全ての占有サブ搬送波に分散されるように選択し、これにより無線チャネルの周波数選択性障害に対する感度を最小にする。他方では生じる時間信号ができるだけ一定のエンベロープを有するように選択し、これにより非線形送信増幅器による問題を回避するのである。
【００１７】
本発明により構成されたフレーム同期信号はここで考察するシステムに対して一義的である。なぜなら他の全てのシンボルが均等な電力分布を使用されるサブ搬送波にわたって有しているからである。このことはゼロシンボルに対しても当てはまる。したがって占有された、または占有されていない部分領域での電力差の評価によって、フレーム同期信号を識別することができる。電力差の評価はアナログまたはデジタルで行うことができる。
【００１８】
本発明のフレーム同期信号を送信するマスタ局は規則的に移動無線網の基地局とすることができる。しかし加入者が基地局を介さないで直接相互に通信する通信網で、加入者に持続的または一時的にマスタ機能を割り当て、これによりこの加入者が本発明の意味でのマスタ局となることもできる。
【００１９】
本発明を以下、図面に示された実施例に基づき詳細に説明する。
【００２０】
図１は、本発明の方法のデータ構造の例を示す図である。
【００２１】
図２は、ダウンリンク信号の信号構造の例を示す図である。
【００２２】
図３は、ＯＦＤＭ伝送に対する本発明のフレーム同期信号の概略図である。
【００２３】
図４は、ＯＦＤＭ信号に対する受信器の構造を示す基本図である。
【００２４】
図５は、本発明のフレーム同期信号を識別するための検知回路のブロック回路図である。
【００２５】
図６は、付加的にゼロ信号を識別するための、図５の検知回路の変形実施例を示すブロック回路図である。
【００２６】
図７は、フレーム同期信号に対する評価回路の実施例の概略図である。
【００２７】
図８は、フレーム同期信号に対する評価回路の第２実施例の概略図である。
【００２８】
図９は、フレーム同期信号に対する評価回路の第３実施例の概略図である。
【００２９】
図１０は、本発明のフレーム同期信号の別の実施例を示す線図である。
【００３０】
図１では、基地局と多数の通信加入者間で、例えば移動無線網で通信するための信号フレーム１が示されている。この信号フレーム１はダウンリンクフェーズ２とアップリンクフェーズ３からなり、ダウンリンクフェーズではダウンリンク信号ＤＳとＤＣが基地局から無線伝送チャネルを介して加入者に送信される。アップリンクフェーズでは、アップリンク信号ＵＣとＵＳが加入者から伝送チャネルを介して基地局へ伝送される。
【００３１】
図１には、ダウンリンクフェーズ２とアップリンクフェーズの開始前に送信エネルギーのない短いインターバル４が示されている。このインターバルは機器を送信動作と受信動作との間で切り換えることにより生じる（トランシーバー・ターンアラウンド・インターバル）。この送信エネルギーのないインターバルは、通常はフレーム同期信号として使用されるゼロ信号を曖昧にする。
【００３２】
伝送チャネルでの通信の編成は、ダウンリンク信号ＤＣをダウンリンクフェーズ２で送信することにより基地局で行われる。この基地局により、個々の加入者にはアップリンクフェーズ３中にデータを伝送するためのタイムスロットが割り当てられる。アップリンクフェーズ３で加入者はさらに基地局に場合により送信希望を通知し、この送信希望は次のダウンリンクフェーズ２での割り当ての際に考慮される。
【００３３】
図２は、ダウンリンクフェーズ２でのダウンリンク信号の詳細を示す。このダウンリンクフェーズは切り換えインターバル４に続いている。ダウンリンク信号はダウンリンクフェーズ２でフレーム同期信号５により開始する。このフレーム同期信号は本発明により下に詳細に説明する実施例にしたがって構成することができる。次にプレアンブル６と２つのＯＦＤＭシンボル７が微同期のために続いている。これにそれぞれ必要な数のデータパケット８が続き、このようにしてダウンリンクフェーズ２の長さは可変である。
【００３４】
フレーム同期信号５の実施例が図３に示されている。
【００３５】
横軸にはＯＦＤＭ信号のサブ搬送波に対するＮの周波数が離散的に均等の間隔でプロットされており、これらのうちそれぞれＮ／２のサブ搬送波が主搬送波周波数の正の側と負の側にある。
【００３６】
図示の実施例では、負側（ｎ）にあるＮ／２のサブ搬送波は遮断されている。すなわち信号エネルギーがない。これに対し、正側（ｐ）にあるＮ／２のサブ搬送波は相互に同じ振幅でフレーム同期信号を形成するため伝送される。
【００３７】
図４は、ＯＦＤＭ受信信号に対する受信装置の基本構造を示す。受信信号は増幅器１０で増幅され、バンドパスフィルタ１１により予ろ波される。第１の基準周波数ｆref1が供給されるミクサ段１２で受信信号は中間周波数に逓低され、続いてバンドパスフィルタ１３によりさらにろ波され、引き続き分岐段１４で分割される。分岐段１４の一方の出力分岐路は別のミクサ段１５の入力側と接続されている。この別のミクサ段には第２の基準周波数ｆref2が供給される。このようにしてベースバンドに混合された信号はＡ／Ｄ変換器１６を介して一方ではＯＦＤＭ復調器１７に、他方では同期ユニット１８に達する。同期ユニット１８はブロック同期、クロック同期、および周波数同期を行う。ＯＦＤＭ復調器１７と同期ユニット１８の機能経過は制御ユニット１９により制御される。
【００３８】
分岐段１４の他方の出力は、フレーム同期信号を識別するための検知装置２０に達する。検知装置２０は出力信号を形成し、この出力信号により制御ユニット１９にはフレームシンボルの発生事実と発生時点が通知される。これに基づき制御ユニット１９は命令を同期ユニット１８に出力し、同期ユニットは精確な同期を実行する。これが行われたなら、同期ユニット１８は周波数偏差とブロック開始を介して検出されたデータをＯＦＤＭ変調器１７に引き渡す。ＯＦＤＭ復調器は続いて信号を復調し、出力側に受信されたデータシーケンスを送出する。
【００３９】
ここに示したフレーム同期信号のアナログ検知の実施例は、これが他のデジタル信号処理にまったく依存しないで実行できるという利点を有する。フレーム開始の識別は（相関の場合のように）、チャネルのアクティブ監視によって行われるのではない。そうではなく、フレームシンボルの発生時にイベントがトリガされる。すなわち受信装置はパッシブであり、フレーム同期信号によって通知される。したがって本発明の方法は、受信装置を電流節約モードから呼び起こすのにも使用できる。このことによりエネルギー効率の良い移動加入者端末機が実現できる。
【００４０】
図５には検知装置２０の構造が示されており、この検知装置には分岐段１４の出力側で分岐された中間周波信号が供給される。この入力信号は２つの分岐路に分割される。この分岐路はそれぞれ、バンドパスフィルタ２１，２２、後置接続された二乗器２３，２４、および後置接続されたローパスフィルタ２５，２６を有する。バンドパスフィルタ２１は上側周波数バンド（ｐ）を取り出しろ波し、バンドパスフィルタ２２は下側周波数バンド（ｎ）を取り出しろ波する。２つのろ波された信号成分は非線形に二乗器２３，２４によってベースバンドに混合され、ローパスフィルタ２５，２６によりろ波される。それぞれの分岐路で得られた信号は受信エネルギーに時間窓ｔ０内で比例する。この時間窓はローパスフィルタ２５，２６のバンド幅によって可変に調整することができる。比較装置２７では、このようにして形成された信号ｓp（ｔ）とｓn（ｔ）とが比較される。十分に大きな差があれば、フレーム同期信号の受信が推定される。図６に示した検知装置２０’は信号ｓp（ｔ）とｓn（ｔ）を形成するために、同じ構成素子２１〜２６を有し、フレーム同期信号に対しても図３と同じ比較装置２７を有する。
【００４１】
ここでは付加的に加算段２８が設けられており、この加算段で２つの信号ｓp（ｔ）とｓn（ｔ）が加算され、評価装置２９でゼロ信号の識別のために検知される。すなわち加算段２８の出力側の和がノイズ強度より僅かに上にある閾値より小さければ、ゼロ信号が推定される。フレーム検知信号が識別されると比較装置２７が正の出力信号を出力し、ゼロ信号が識別されると評価装置２９が正の出力信号を出力する。出力信号の一方を適切に遅延することで、ＡＮＤ段３０はフレーム識別信号ｄ（ｔ）を制御装置１９に出力する。
【００４２】
２つの識別基準を信号フレーム１の開始に対して使用することにより、誤検知の確率が格段に低減される。もちろん前提となるのは、相応の送信器が図３のフレーム検知信号の時間的に直前または直後にゼロ信号を信号フレーム１の開始時に送信することである。
【００４３】
比較装置２７は信号ｓp（ｔ）とｓn（ｔ）を比較し、相応の出力信号ｄ（ｔ）を形成する。
【００４４】
図７によれば、出力信号ｄ（ｔ）は次の条件で形成される。
【００４５】
【数１】
0004298918.tif 000002
【００４６】
このために反転された信号ｓn（ｔ）が加算段３０に供給され、このようにして形成された差が閾値検知器３１で調整された閾値と比較される。
【００４７】
差が閾値検知器３１の調整された閾値を上回ると、フレーム同期信号の識別を表す電位が閾値検知器３１の出力側に形成される。
【００４８】
この構成は最も簡単であるが、最適の閾値が送信信号の減衰度に依存するという欠点を有する。
【００４９】
この欠点は図８の実施形態により回避される。この実施形態では２つのエネルギー信号ｓp（ｔ）とｓn（ｔ）とが互いに除算される。したがって出力信号ｄ（ｔ）に対する条件は以下のとおりである。
【００５０】
【数２】
0004298918.tif 000003
【００５１】
ハードウエア的実現は次のように行われる。すなわち、入力信号ｓp（ｔ）とｓn（ｔ）とをそれぞれ対数形成器３２，３３に供給し、対数化された信号の差を加算段３０で形成するのである。このことは数学的には、信号ｓp（ｔ）とｓn（ｔ）の商の対数を形成することに相応する。
【００５２】
図９は次の条件で動作する比較段２７を示す。
【００５３】
【数３】
0004298918.tif 000004
【００５４】
このために対数形成器３２，３３にそれぞれ１つの加算段３４，３５が前置接続される。加算段３４には入力信号ｓp（ｔ）と反転された入力信号ｓn（ｔ）が供給され、加算段３５には入力信号ｓp（ｔ）とｓn（ｔ）が反転されずに供給される。比較装置２７のこの実現により検知時点の変動が、図８による方法での比較の際に低減される。
【００５５】
図１０は、本発明のフレーム同期信号を形成するための、図３に対する変形実施例を示す。ここでも負側（ｎ）のサブ搬送波の振幅はゼロである。しかし正側（ｐ）でもサブ搬送波は１つおきにだけ送信エネルギーにより占有され、その間にあるサブ搬送波は同様に振幅ゼロを有する。
【００５６】
このことにより、時間領域にフレームシンボルについてオン周期性が生じる。この周期性は相関により評価することができ、同期ユニット１８での微同期のために使用することができる。
【００５７】
図１０のフレーム同期信号はさらにデジタルフレーム検知を実行するためにも有利である。ここでは受信信号が走査され、フーリエ変換（ＦＦＴ）により処理される。ここではシンボル長の半分の（＝Ｎ／２）ＦＦＴ窓が使用される。このことにより伝送されるＯＦＤＭシンボル当たりに少なくとも１つのシンボル部分にブロック間干渉のないことが保証される。正（ｐ）または負（ｎ）の周波数領域内で一つおきにだけサブ搬送波を占有することにより、フレームシンボルの絶対値スペクトルが時間窓の位置に依存しなくなる。
【００５８】
フレーム同期信号は、変数
【００５９】
【数４】
0004298918.tif 000005
【００６０】
が所定の閾値を上回るブロックｋで正確に検知される。ここでＲi,kは、周波数ｉΔＦ（ΔＦ＝サブ搬送波間隔）の際の時点ｋＴ／２（Ｔ＝ＯＦＤＭシンボルの有効シンボル持続時間）におけるＮ／２−ＦＦＴの複素出力信号を表す。
【００６１】
本発明のフレーム同期方法はとりわけ実施例にも示したＯＦＤＭ伝送に対して適する。なぜならＯＦＤＭでは信号の形成が、単搬送波方式の場合よりも格段に簡単だからである。しかし基本的には本発明の方法を単搬送波伝送方式により使用することもできる。この場合、時間信号のサンプリング値を記憶し、必要に応じて読み出す。
【００６２】
受信装置で使用される中間周波数はできるだけ低くあるべきである。このことにより、複雑性の少ないバンドパスフィルタを実現できる。
【００６３】
図３と図１０に示したフレーム同期信号は占有された部分領域（ｐ）と占有されない部分領域（ｎ）しか有していないが、基本的にはスペクトルを例えば４つに分割し、部分領域を別々に占有することもできる。スペクトルをさらに分割することも理論的には考えられるが、しかし一般的には実際上有利ではない。
【００６４】
フレーム同期信号が１つの部分バンドに電力成分だけを含む場合であっても、振幅増幅度を受信器で調整するための基準信号として使用することもできる。このためにはフレーム同期信号を、エンベロープが時間領域でできるだけ一定に経過するよう選択しなければならない。このことは一方ではフレーム同期信号を増幅器制御の調整に使用するため重要であり、他方ではこれにより送信増幅器の過制御が回避される。
【００６５】
個々のサブ搬送波をフレーム同期信号に対して占有することは変調形式に依存しない。なぜならフレーム同期信号は復調されないからである。したがって信号空間（複素平面）中の任意の点を選択することができる。
【００６６】
特別の場合には、アップリンクフェーズ３の識別を保証することも有利である。解決手段では、正と負の側波帯を入れ替えればよい。例えばダウンリンクフェーズ２の開始を識別するために正の側波帯（ｐ）だけを占有し、アップリンクフェーズ３の開始を識別するためには負の側波帯（ｎ）だけを占有することができる。この目的のために、比較装置２７で実行される比較の一方を対数構成素子によって行うことができる。この場合、閾値検知器３１に印加される信号の符号が変わるだけである。
【００６７】
エラー検知確率を低減するために図６の構成の変形として、ゼロ信号とフレーム同期信号の検知の代わりに、フレーム同期信号１−フレーム同期信号２の組合せを使用してエラー検知確率を低減することができる。この場合は、例えば第１のフレーム検知信号に対して正の全てのサブ搬送波周波数を占有し、第２のフレーム検知信号に対しては負の全てのサブ搬送波周波数を占有することができる。
【００６８】
本発明の方法を、時分割二重（ＴＤＤ）システムで使用する例で説明した。しかし本発明の方法を、周波数分割二重（ＦＤＤ）システムで相応の変更により適用することもできる。このことはとりわけ電流節約型加入者端末機で実現するのに有利である。
【図面の簡単な説明】
【図１】  図１は、本発明の方法のデータ構造の例を示す図である。
【図２】  図２は、ダウンリンク信号の信号構造の例を示す図である。
【図３】  図３は、ＯＦＤＭ伝送に対する本発明のフレーム同期信号の概略図である。
【図４】  図４は、ＯＦＤＭ信号に対する受信器の構造を示す基本図である。
【図５】  図５は、本発明のフレーム同期信号を識別するための検知回路のブロック回路図である。
【図６】  図６は、付加的にゼロ信号を識別するための、図５の検知回路の変形実施例を示すブロック回路図である。
【図７】  図７は、フレーム同期信号に対する評価回路の実施例の概略図である。
【図８】  図８は、フレーム同期信号に対する評価回路の第２実施例の概略図である。
【図９】  図９は、フレーム同期信号に対する評価回路の第３実施例の概略図である。
【図１０】  図１０は、本発明のフレーム同期信号の別の実施例を示す線図である。
【図１】
0004298918.tif 000006
【図２】
0004298918.tif 000007
【図３】
0004298918.tif 000008
【図４】
0004298918.tif 000009
【図５】
0004298918.tif 000010
【図６】
0004298918.tif 000011
【図７】
0004298918.tif 000012
【図８】
0004298918.tif 000013
【図９】
0004298918.tif 000014
【図１０】
0004298918.tif 000015